(57)【要約】【課題】光ディスクの頒布者が意図した広告画像を描画させることができるようにする。【解決手段】第１セッション２６に、広告画像形成のための手順を指示するオートランプログラム２１−１と、広告情報配給装置４０のＵＲＬ情報２１−４等を予め格納した状態で、広告用ＣＤ−Ｒディスク２５を配布する。この広告用ＣＤ−Ｒディスク２５を広告画像形成機能を有する光ディスク記録装置３２にローディングすると、オートランプログラム２１−１が起動し、広告情報配給装置４０から広告画像情報を受け取る。光ディスク記録装置３２は、受け取った広告画像情報を用いて、広告画像を、広告用ＣＤ−Ｒディスク２５の第２セッション２８に描画形成する。【選択図】  図１
2006172530.tif 000002
【特許請求の範囲】
【請求項１】
広告用の可視画像である広告画像を光ディスク記録媒体に描画形成するために用いられる広告画像情報を格納した広告情報配給装置と、
前記広告情報配給装置に公衆回線網を経由して接続可能な光ディスク記録装置と、
前記光ディスク記録装置によって広告画像が形成され得る光ディスク記録媒体と、
前記光ディスク記録媒体に格納されているプログラムであって、前記光ディスク記録装置に、前記広告情報配給装置へ前記公衆回線網を経由して接続させ、前記広告画像情報を取り込ませ、該広告画像情報に応じて前記可視画像を前記光ディスク記録媒体に形成させるプログラムと
を具備してなる広告システム。
【請求項２】
前記光ディスク記録媒体は、さらに、前記広告情報配給装置に格納されている複数の広告画像情報から特定の広告画像情報を指定する広告画像識別情報を格納しており、
前記プログラムは、前記光ディスク記録装置により読み出されて、自動的に起動するプログラムであり、
前記プログラムは、前記光ディスク記録装置に、前記広告画像識別情報に対応する広告画像情報を前記広告情報配給装置から取り込ませる
ことを特徴とする請求項１記載の広告システム。
【請求項３】
前記プログラムは、さらに、前記広告情報配給装置に格納されている複数の広告画像情報から特定の広告画像情報を指定する広告画像識別情報を生成し、
前記プログラムは、前記光ディスク記録装置に読み出されて、自動的に起動するプログラムであり、
前記プログラムは、前記光ディスク記録装置に、前記広告画像識別情報に対応する広告画像情報を前記広告情報配給装置から取り込ませる
ことを特徴とする請求項１記載の広告システム。
【請求項４】
前記広告情報配給装置は、さらに、該広告情報配給装置に格納されている複数の広告画像情報から特定の広告画像情報を選択して配給し、
前記プログラムは、前記光ディスク記録装置に読み出されて、自動的に起動するプログラムであり、
前記プログラムは、前記光ディスク記録装置に、前記広告情報配給装置が選択し配給する広告画像情報を前記広告情報配給装置から取り込ませる
ことを特徴とする請求項１記載の広告システム。
【請求項５】
前記プログラムは、前記光ディスク記録装置が広告画像形成機能を有するか有しないかを識別できる広告画像形成機能識別情報を探索し、探索された該情報から、前記光ディスク記録装置が広告画像形成機能を有していない装置であると認識した場合は、前記光ディスク記録媒体を排出させる
ことを特徴とする請求項２乃至４のいずれかに記載の広告システム。
【請求項６】
前記プログラムは、前記広告情報配給装置との公衆回線網を経由した接続を所定時間試行しまたは所定回数試行し、前記広告情報配給装置との接続が得られなかった場合は、前記光ディスク記録装置から前記光ディスク記録媒体を排出させる
ことを特徴とする請求項２乃至４のいずれかに記載の広告システム。
【請求項７】
光ディスク記録媒体を配布し、該光ディスク記録媒体に広告のための広告画像を出現させる広告方法。
【請求項８】
内周側の領域に、光ディスク記録装置が初期動作として光ディスク記録媒体を調査するディスクチェックに応じて自動起動するプログラムを格納し、その外周側の領域を広告のための画像である広告画像を形成するための広告領域として留保している光ディスク記録媒体を配布し、
前記光ディスク記録媒体に対応し、該光ディスク記録媒体に記録されると前記広告画像を出現させる広告画像情報を格納した広告情報配給装置を公衆回線網に接続して用意し、
前記光ディスク記録媒体を取得した者が、前記公衆回線網に接続されている光ディスク記録装置に前記光ディスク記録媒体を案内した場合に、前記ディスクチェックに応じて前記プログラムは起動し、
起動した前記プログラムは、前記光ディスク記録装置に、前記公衆回線網を通じて前記広告情報配給装置から前記広告画像情報を取り込ませ、かつ、前記光ディスク記録媒体の前記広告領域に、取得した前記広告画像情報を記録させ、さらに、前記光ディスク記録媒体を排出させて前記広告画像を出現させる
ことを特徴とする広告方法。
【発明の詳細な説明】
【技術分野】
【０００１】
この発明は、光ディスクの情報記録層に広告用の可視画像（広告画像）を描画形成するための広告システムおよび広告方法に関し、光ディスクの頒布者（広告主等）が意図した広告画像を描画させることができるようにしたものである。
【背景技術】
【０００２】
特許文献１には、ＣＤ−Ｒ等の記録可能型光ディスクの情報記録層にマーク（光学的変性部）を形成する処理を行って、巨視的に見ると、文字あるいは絵等の画像となるように画像形成を行う技術が開示されている。
【特許文献１】特開２００１−２８３４７０号公報
【発明の開示】
【発明が解決しようとする課題】
【０００３】
特許文献１記載の技術は、光ディスクのユーザーの意思によって、描画する画像を選択するもので、光ディスクの頒布者が意図した広告用の画像を描画させることはできなかった。
【０００４】
この発明は上述の点に鑑みてなされたもので、光ディスクの頒布者が意図した広告画像を描画させることができるようにした広告システムおよび広告方法を提供しようとするものである。
【課題を解決するための手段】
【０００５】
この発明の広告システムは、広告用の可視画像である広告画像を光ディスク記録媒体に描画形成するために用いられる広告画像情報を格納した広告情報配給装置と、前記広告情報配給装置に公衆回線網を経由して接続可能な光ディスク記録装置と、前記光ディスク記録装置によって広告画像が形成され得る光ディスク記録媒体と、前記光ディスク記録媒体に格納されているプログラムであって、前記光ディスク記録装置に、前記広告情報配給装置へ前記公衆回線網を経由して接続させ、前記広告画像情報を取り込ませ、該広告画像情報に応じて前記可視画像を前記光ディスク記録媒体に形成させるプログラムとを具備してなるものである。これによれば、光ディスク記録媒体に格納されているプログラムにより、広告情報配給装置から広告画像情報を受け取って、該広告画像情報に該当する画像を該光ディスク記録媒体に描画形成することができる。
【０００６】
前記光ディスク記録媒体は、さらに、前記広告情報配給装置に格納されている複数の広告画像情報から特定の広告画像情報を指定する広告画像識別情報を格納しており、前記プログラムは、前記光ディスク記録装置により読み出されて、自動的に起動するプログラムであり、前記プログラムは、前記光ディスク記録装置に、前記広告画像識別情報に対応する広告画像情報を前記広告情報配給装置から取り込ませるものとすることができる。これによれば、光ディスク記録媒体に格納されている広告画像識別情報に応じた広告画像を広告情報配給装置から取り込んで、描画形成することができる。
【０００７】
前記プログラムは、さらに、前記広告情報配給装置に格納されている複数の広告画像情報から特定の広告画像情報を指定する広告画像識別情報を生成し、前記プログラムは、前記光ディスク記録装置に読み出されて、自動的に起動するプログラムであり、前記プログラムは、前記光ディスク記録装置に、前記広告画像識別情報に対応する広告画像情報を前記広告情報配給装置から取り込ませるものとすることができる。これによれば、プログラムにより生成される広告画像識別情報に応じた広告画像を広告情報配給装置から取り込んで、描画形成することができる。
【０００８】
前記広告情報配給装置は、さらに、該広告情報配給装置に格納されている複数の広告画像情報から特定の広告画像情報を選択して配給し、前記プログラムは、前記光ディスク記録装置に読み出されて、自動的に起動するプログラムであり、前記プログラムは、前記光ディスク記録装置に、前記広告情報配給装置が選択し配給する広告画像情報を前記広告情報配給装置から取り込ませるものとすることができる。これによれば、広告情報配給装置により選択される広告画像を、該広告情報配給装置から取り込んで、描画形成することができる。
【０００９】
前記プログラムは、前記光ディスク記録装置が広告画像形成機能を有するか有しないかを識別できる広告画像形成機能識別情報を探索し、探索された該情報から、前記光ディスク記録装置が広告画像形成機能を有していない装置であると認識した場合は、前記光ディスク記録媒体を排出させるものとすることができる。これによれば、広告画像形成機能が無い光ディスク記録装置で、この光ディスク記録媒体が広告画像を形成しない用途（つまり、データ保存用）に使用されるのを禁止することができる。
【００１０】
前記プログラムは、前記広告情報配給装置との公衆回線網を経由した接続を所定時間試行しまたは所定回数試行し、前記広告情報配給装置との接続が得られなかった場合は、前記光ディスク記録装置から前記光ディスク記録媒体を排出させるものとすることができる。
【００１１】
この発明の広告方法は、光ディスク記録媒体を配布し、該光ディスク記録媒体に広告のための広告画像を出現させるものである。
【００１２】
この発明の広告方法は、内周側の領域に、光ディスク記録装置が初期動作として光ディスク記録媒体を調査するディスクチェックに応じて自動起動するプログラムを格納し、その外周側の領域を広告のための画像である広告画像を形成するための広告領域として留保している光ディスク記録媒体を配布し、前記光ディスク記録媒体に対応し、該光ディスク記録媒体に記録されると前記広告画像を出現させる広告画像情報を格納した広告情報配給装置を公衆回線網に接続して用意し、前記光ディスク記録媒体を取得した者が、前記公衆回線網に接続されている光ディスク記録装置に前記光ディスク記録媒体を案内した場合に、前記ディスクチェックに応じて前記プログラムは起動し、起動した前記プログラムは、前記光ディスク記録装置に、前記公衆回線網を通じて前記広告情報配給装置から前記広告画像情報を取り込ませ、かつ、前記光ディスク記録媒体の前記広告領域に、取得した前記広告画像情報を記録させ、さらに、前記光ディスク記録媒体を排出させて前記広告画像を出現させることを特徴とするものである。
【発明を実施するための最良の形態】
【００１３】
この発明の実施の形態を説明する。ここでは、ＣＤ−Ｒディスクを、広告用の可視画像を表示する広告媒体としてのみ使用し、ユーザーによる任意の情報（ユーザー情報）の記録は一切できない（すなわち、データ保存用の記録媒体としての機能は有しない）ようにした場合について説明する。このような広告画像を描画したＣＤ−Ｒディスクを、ユーザーは、例えば“部屋の飾り”等として利用することができ、広告主にとって広告効果が期待できる。
【００１４】
始めに、この発明で使用する記録可能型光ディスクの実施の形態を説明する。図２は、（ａ）正規のＣＤ−Ｒディスクの領域設定と、（ｂ）この発明で使用する広告用ＣＤ−Ｒディスクの頒布時における領域設定をそれぞれ示す。図２（ａ）の正規のＣＤ−Ｒディスク１０は、情報領域（Information Area）１２に、内周側から、ＰＣＡ領域（Power Calibration Area）１４、ＰＭＡ領域（Program Memory Area）１６、リードイン領域１８、プログラム領域２０、リードアウト領域２２が設定される。情報領域１２全体にはトラック（ウォブルトラック）が形成されており、該トラックには、ウォブルを変調して、ＡＴＩＰ情報として、一様にアドレス情報が記録されている。リードイン領域１８のＡＴＩＰ情報には、プログラム領域２０の最終可能記録位置の次のアドレスに相当するリードアウト領域２２の最終可能開始位置（Last possible start tiome of Lead-out Area）を表すリードアウト領域最終可能開始位置情報等が記録されている。プログラム領域２０はユーザーが任意の情報（ユーザー情報）を記録できる領域である。リードアウト領域２２は、プログラム領域２０に記録された情報に続いて、リードアウトを示す情報が記録される領域であるため、プログラム領域２０の使用量によってその位置が変動する。
【００１５】
図２（ｂ）のこの発明で使用する広告用ＣＤ−Ｒディスク２５は、広告主等の頒布者により、街頭などに置かれて、無料で配布されるものである。広告用ＣＤ−Ｒディスク２５が正規のＣＤ−Ｒディスク１０と異なる点は、マルチセッション方式における第１セッション２６がすでに記録されていることである。第１セッション２６は、正規のＣＤ−Ｒディスク１０のリードイン領域１８に相当する位置に形成されたリードイン領域１８−１と、正規のＣＤ−Ｒディスク１０のプログラム領域２０の先頭領域に形成されたプログラム領域２０−１およびリードアウト領域２２−１で構成される。なお、第１セッション２６は、エンボス加工されたレリーフ構造によってピットを形成したものであってもよいし、正規のＣＤ−Ｒディスク１０にレーザ光を照射してピットに相当するマークを形成したものであってもよい。
【００１６】
プログラム領域２０−１は、その先頭部分に形成されたプレギャップ２０−１ａと、プレギャップ２０−１ａに続くプログラム領域本体部分２０−１ｂで構成される。プログラム領域本体部分２０−１ｂに予め記録されているファイルを図３に示す。すなわち、プログラム領域本体部分２０−１ｂには、広告画像形成のための手順を指示するプログラム（Autorun.exe、以下「オートランプログラム」）２１−１と、この広告用ＣＤ−Ｒディスク２５を光ディスクドライブに案内（ローディング）したときに、オートランプログラム２１−１を自動起動させるオートランファイル（Autorun.inf）２１−２と、広告画像形成機能を有する光ディスクドライブの製品情報（デバイスＩＤ）のデータベース２１−３と、描画する広告画像情報が格納されている広告情報配給装置４０（図４）のＵＲＬ情報（アドレス情報）２１−４と、広告情報配給装置４０に広告主別および広告内容別に格納されている複数の広告画像情報から特定の広告画像情報を指定する広告画像識別情報２１−５の各ファイルが格納されている。
【００１７】
オートランプログラム２１−１は、この広告用ＣＤ−Ｒディスク２５をローディングした光ディスクドライブが広告画像形成機能を有するものかどうかを判断し、広告画像形成機能を有する場合には、ＵＲＬ情報２１−４で示される広告情報配給装置４０にアクセスし、該広告情報配給装置４０から広告画像識別情報２１−５で特定される広告画像情報をダウンロードし、ホストコンピュータ３４（図４）にインストールされている画像形成用アプリケーションソフトウェアを起動して、広告用ＣＤ−Ｒディスク２５の所定の広告領域に、当該ダウンロードした広告画像情報に対応した広告画像を可視画像として描画形成することを主な内容とするものである。なお、画像形成用アプリケーションソフトウェアは、プログラム領域本体部分２０−１ｂに予め記録されているソフトウェアであってもよい。
【００１８】
図２（ｂ）において、広告用ＣＤ−Ｒディスク２５のプレギャップ２０−１ａには、プログラム領域本体部分２０−１ｂに記録されている各ファイル２１−１乃至２１−５のディレクトリ情報すなわちパステーブルが記録されている。リードアウト領域２２−１よりも外周側の領域は、広告画像の形成を行うための広告領域２８（第２セッション）として確保されている。広告領域２８は、広告用ＣＤ−Ｒディスク２５の頒布時は未記録状態である。ユーザーが任意の情報（ユーザー情報）を記録できる領域は確保されていない。
【００１９】
リードイン領域１８−１には、マルチセッション方式特有の情報が記録されている。すなわち、サブコードＱチャンネルのＡＤＲ＝５（モード５）として、ポインタＢ０およびＣ０が記録されている。ポインタＢ０が出現したフレームにおける時間情報（ＭＩＮ，ＳＥＣ，ＦＲＡＭＥ）は、第２セッション（広告領域２８）のプログラム領域の開始位置を表す。
【００２０】
図２（ｂ）の広告用ＣＤ−Ｒディスク２５に広告画像形成を行う、この発明で使用する光ディスク記録装置の実施の形態を図４に示す。光ディスク記録装置３２は、正規のＣＤ−Ｒディスク１０の記録・再生と、広告用ＣＤ−Ｒディスク２５の広告画像形成が可能なものである。光ディスク記録装置３２は、単独の装置として、または、ホストコンピュータ（パーソナルコンピュータ等）３４と光ディスクドライブ（ＣＤ−Ｒドライブ）３６との組み合わせとして構成される。ホストコンピュータ３４には、画像形成用アプリケーションソフトウェアがインストールされている。光ディスクドライブ３６は、この画像形成用アプリケーションソフトウェアにより制御されて、ＣＤ−Ｒディスクに画像形成を行う機能を有している。光ディスク記録装置３２は、電話回線等の公衆回線網３８を通じてインターネットに接続され、広告主、広告業者等が運営する、広告画像情報のサーバーである広告情報配給装置４０に接続されている。広告情報配給装置４０には、広告用ＣＤ−Ｒディスク２５から読み取られる広告画像識別情報でそれぞれ識別可能な複数の広告画像情報が格納されている。
【００２１】
光ディスクドライブ３６において、ＣＤ−Ｒディスク１０（２５）は、案内排出機構４２により、光ディスクドライブ３６に対しローディング（案内）・アンローディング（排出）される。ＣＤ−Ｒディスク１０（２５）は、ターンテーブル４１に載置されて、スピンドルモータ４３で回転駆動され、光ピックアップ４４によって、正規のＣＤ−Ｒディスク１０についてはユーザー情報の記録・再生が行われ、広告用ＣＤ−Ｒディスク２５については広告画像形成が行われる。
【００２２】
正規のＣＤ−Ｒディスク１０に対するユーザー情報の記録時は、ホストコンピュータ３４から光ディスクドライブ３６に供給されるユーザー情報は、ＣＰＵ４６を介してバッファメモリ４８に一時蓄えられ、データエンコーダ５０でエンコードされ、レーザドライバ５２に供給される。レーザドライバ５２は、該供給されるユーザー情報のコード情報に応じて光ピックアップ４４内のレーザ源を駆動し、レーザ光５４を変調して、ＣＤ−Ｒディスク１０のプログラム領域２０の情報記録層（色素層）に、該ユーザー情報の記録を行う。ユーザー情報の再生時は、光ピックアップ４４から再生パワーのレーザ光５４が出射され、ＣＤ−Ｒディスク１０のプログラム領域２０の情報記録層に照射される。このとき、ＣＤ−Ｒディスク１０からの戻り光は、光ピックアップ４４で受光され、その受光信号はデータデコーダ５６でデコードされ、バッファメモリ４８に一時蓄えられ、ＣＰＵ４６を介してホストコンピュータ３４に送出される。サーボコントローラ５８は、スピンドルモータ４３の回転制御、光ピックアップ４４のフォーカス制御およびトラッキング制御を行う。
【００２３】
広告用ＣＤ−Ｒディスク２５に対する広告画像形成時は、広告情報配給装置４０から広告画像の画像情報（広告画像情報）が送出され、公衆回線網３８を通じて光ディスク記録装置３２に供給（ダウンロード）される。光ディスク記録装置３２は、該広告画像情報をホストコンピュータ３４を介して光ディスクドライブ３６に送る。光ディスクドライブ３６に送られた広告画像情報は、ＣＰＵ４６を介してバッファメモリ４８に一時蓄えられ、イメージエンコーダ６２でエンコードされ、レーザドライバ５２に供給される。レーザドライバ５２は、該供給される広告画像情報に応じて光ピックアップ４４内のレーザ源を駆動し、レーザ光５４を変調して、広告用ＣＤ−Ｒディスク２５の広告領域２８の情報記録層（色素層）に、該広告画像情報の記録｛巨視的に見ると文字あるいは絵等の画像となるように、マーク（光学的変性部）を形成して、可視画像を描画形成すること｝を行う。サーボコントローラ５８は、このとき、スピンドルモータ４３の回転制御、光ピックアップ４４のフォーカス制御およびトラッキング制御を行う。広告画像形成時のスピンドルモータ４３の回転制御は、例えば、スピンドルモータ４３のＦＧ（Frequency Generator）出力に基づき、回転数一定制御として行われる。
【００２４】
光ディスク記録装置３２により広告用ＣＤ−Ｒディスク２５に画像形成を行うときの制御を図１を参照して説明する。広告用ＣＤ−Ｒディスク２５を街頭等で取得し（Ｓ０）、光ディスクドライブ３６にローディングする（Ｓ１）。光ディスクをローディングした後の図１の制御（Ｓ２〜Ｓ１７）はすべて自動で連続的に行われる。すなわち、ディスクローディングを完了すると、広告用ＣＤ−Ｒディスク２５からディスク情報が自動的に読み取られる（Ｓ２）。具体的には、始めにリードイン領域１８−１の情報が読み込まれる。リードイン領域１８−１のサブコードＱチャンネルに、ＡＤＲ＝５（モード５）としてポインタＢ０およびＣ０が記録されていることにより、この広告用ＣＤ−Ｒディスク２５がマルチセッション方式で記録されたものであり、第２セッションが記録可能であること、あるいは、第２セッションが既に記録済みであることが判別される。また、ポインタＢ０が出現したフレームにおける時間情報（ＭＩＮ，ＳＥＣ，ＦＲＡＭＥ）により、第２セッション２８のプログラム領域の開始位置の情報を取得する。次いで、プレギャップ２０−１ａからパステーブルが読み取られる。このパステーブルにより、プログラム領域本体部分２０−１ｂにファイル２１−１乃至２１−５（図３）が存在していることが分かる。
【００２５】
次いで、第２セッション２８のリードイン領域を探索する。第２セッション２８のリードイン領域は、第１セッション２６のリードイン領域１８−１から取得した第２セッション２８のプログラム領域の開始位置情報に基づき、該プログラム領域開始位置から所定量戻った位置として演算で求めることができる。このとき、第２セッション２８のリードイン領域はまだ形成されていないことから、第１セッション２６のプレギャップ２０−１ａから読み取ったパステーブルが、この広告用ＣＤ−Ｒディスク２５全体のファイル構造を示すものとして現在有効であることがわかる。そして、このパステーブルにより、第１セッション２６のプログラム領域本体部分２０−１ｂにオートランファイル（Autorun.inf）２１−２（図３）が存在することがわかるので、このオートランファイル２１−２の読み取りを行う（Ｓ３）。読み取られたオートランファイル２１−２は、ホストコンピュータ３４に転送される。
【００２６】
ホストコンピュータ３４は、転送されたオートランファイル２１−２が、オートランプログラム（Autorun.exe）２１−１（図３）の自動起動を指示していることを解読し、第１セッション２６のプログラム領域本体部分２０−１ｂからオートランプログラム２１−１を読み取り、該オートランプログラム２１−１を起動する（Ｓ４）。オートランプログラム２１−１が起動されると、始めに、光ディスクドライブ３６からその製品情報（デバイスＩＤ、すなわち、製造メーカーおよび製品型番を特定する情報）を取得する（Ｓ５）。この製品情報は、広告画像形成機能の有無を識別する広告画像形成機能識別情報として利用される。すなわち、第１セッション２６のプログラム領域本体部分２０−１ｂから、広告画像形成機能を有する光ディスクドライブの製品情報のデータベース２１−３（図３）を読み取り（Ｓ６）、前記光ディスクドライブ３６から取得された製品情報と照合する（Ｓ７）。照合の結果、光ディスクドライブ３６から取得した製品情報に合致する製品情報が製品情報のデータベース２１−３に存在しなかった場合は、光ディスクドライブ３６がこの発明による広告画像形成機能を有しないと判断し、ホストコンピュータ３４の表示装置に、使用不能なディスクである旨の警告を表示させ（Ｓ１６）、光ディスクを強制的に排出させて（Ｓ１７）、終了する。これにより、この広告用ＣＤ−Ｒディスク２５が広告画像を形成しない用途（つまり、データ保存用）に使用されるのを禁止することができる。
【００２７】
一方、光ディスクドライブ３６から取得した製品情報に合致する製品情報が製品情報のデータベース２１−３に存在する場合には、第１セッション２６のプログラム領域本体部分２０−１ｂから、広告情報配給装置４０のＵＲＬ情報２１−４（図３）を読み取り、公衆回線網３８を通じて、広告情報配給装置４０に接続を試行する（Ｓ８）。広告情報配給装置４０との接続を所定時間試行しまたは所定回数試行しても広告情報配給装置４０との接続が得られなかった場合は、ホストコンピュータ３４の表示装置に、接続を失敗した旨の警告を表示させ（Ｓ１６）、光ディスクを強制的に排出させて（Ｓ１７）、終了する。
【００２８】
広告情報配給装置４０との接続が成功した場合は（Ｓ９）、第１セッション２６のプログラム領域本体部分２０−１ｂから、広告画像識別情報２１−５（図３）を読み取り、広告情報配給装置４０に転送する（Ｓ１０）。広告情報配給装置４０は、格納している複数の広告画像情報のうち、この広告画像識別情報２１−５に対応した広告画像情報を選択してホストコンピュータ３４に転送する（Ｓ１１）。ホストコンピュータ３４は、広告情報配給装置４０から送られてきた広告画像情報を受信して取り込む（Ｓ１２）。そして、広告用ＣＤ−Ｒディスク２５の第２セッション２８への書き込みを行う（Ｓ１３）。すなわち、図５に示すように、始めに第２セッション２８にリードイン領域１８−２およびプレギャップ２０−２ａを形成し、さらにプレギャップ２０−２ａに続く残りの領域２０−２ｂに、受信した広告画像情報に該当する広告画像を描画形成する。この場合、リードイン領域１８−２のサブコードＱチャンネルのＡＤＲ＝５（モード５）には、ポインタＢ０およびＣ０を記録しない。これにより、この広告用ＣＤ−Ｒディスク２５が、この第２セッション２８で完結することが示される。また、プレギャップ２０−２ａには、パステーブルとして、この広告用ＣＤ−Ｒディスク２５全体に“ファイルが１つも存在しない”状態を記録する。また、リードアウト領域は形成する必要がないので、最大で情報領域１２の最外周位置まで広告画像を描画することができる。広告画像の描画形成が終了したら、ホストコンピュータ３４の表示装置に、画像形成が成功した旨の表示をし（Ｓ１４）、光ディスクドライブ３６から広告用ＣＤ−Ｒディスク２５を排出させる（Ｓ１５）。その結果、例えば図６に広告画像形成例１または２で示すように、広告領域２８に広告画像が形成された広告用ＣＤ−Ｒディスク２５が得られる。
【００２９】
なお、第２セッション２８のリードイン領域１８−２およびプレギャップ２０−２ａには、コード情報を記録するので、該コード情報が最適な状態で記録されるように、ステップＳ１３よりも以前の時点で、ＰＣＡ領域１４を使用して、ＯＰＣ制御（Optimum Power Control）を実行するようにしてもよい。
【００３０】
また、以上の説明では、広告画像形成機能を有する光ディスクドライブの製品情報のデータベースを、広告用ＣＤ−Ｒディスク２５に備えるようにしたが、広告画像配給装置４０に備えるようにしてもよい。この場合は、例えば、ステップＳ５→Ｓ８→Ｓ９→Ｓ６→Ｓ７の順で処理を行うことができる。すなわち、光ディスクドライブ３６からその製品情報を取得したら（Ｓ５）、公衆回線網３８を通じて、広告情報配給装置４０に接続を試行し（Ｓ８）、接続が成功したら（Ｓ９）、広告画像配給装置４０から広告画像形成機能を有する光ディスクドライブの製品情報のデータベースをダウンロードし（Ｓ６）、このデータベースと光ディスクドライブ３６から取得した製品情報とを照合する（Ｓ７）。広告画像形成機能を有する光ディスクドライブの製品情報のデータベースを広告用ＣＤ−Ｒディスク２５に備える方式では、該広告用ＣＤ−Ｒディスク２５の製造時期が古い場合には、新製品の光ディスクドライブには対応できない（すなわち、データベースにこの新製品の光ディスクドライブの製品情報が載っていないので、画像形成を行うことができない。）。これに対し、広告画像形成機能を有する光ディスクドライブの製品情報のデータベースを広告画像配給装置４０が備える方式では、該データベースを新製品の光ディスクドライブの製品情報を含むものに随時更新すれば、広告用ＣＤ−Ｒディスク２５の製造時期の新旧にかかわらず、新製品の光ディスクドライブに対応することができる。
【００３１】
また、広告画像形成機能を有する光ディスクドライブの製品情報のデータベースを、広告用ＣＤ−Ｒディスク２５および広告画像配給装置４０の双方が備えるようにしてもよい。この場合は、例えば、ステップＳ５→Ｓ６（広告用ＣＤ−Ｒディスク２５から取得）→Ｓ８→Ｓ９→Ｓ６（広告画像配給装置４０から取得）→Ｓ７の順で処理を行うことができる。すなわち、光ディスクドライブ３６からその製品情報を取得したら（Ｓ５）、広告用ＣＤ−Ｒディスク２５の第１セッション２６のプログラム領域本体部分２０−１ｂから、広告画像形成機能を有する光ディスクドライブの製品情報のデータベース２１−３（図３）を読み取り（Ｓ６）、さらに、公衆回線網３８を通じて、広告情報配給装置４０に接続を試行し（Ｓ８）、接続が成功したら（Ｓ９）、広告画像配給装置４０からさらに広告画像形成機能を有する光ディスクドライブの製品情報のデータベースをダウンロードし（Ｓ６）、これら両データベースと光ディスクドライブ３６から取得した製品情報とを照合する（Ｓ７）。この場合も、広告画像配給装置４０のデータベースを新製品の光ディスクドライブの製品情報を含むものに随時更新すれば、広告用ＣＤ−Ｒディスク２５の製造時期の新旧にかかわらず、新製品の光ディスクドライブに対応することができる。
【００３２】
以上のようにして広告画像が形成された広告用ＣＤ−Ｒディスク２５を光ディスクドライブ３６に再ローディングすると、第１セッション２６のリードイン領域１８−１およびプレギャップ２０−１ａの情報が読み取られる。リードイン領域１８−１の情報により、第２セッション２８が記録可能であること、あるいは、第２セッション２８が既に記録済みであることが判別されるので、第２セッション２８のリードイン領域１８−２を探索する。その結果、リードイン領域１８−２が記録済みであることがわかるので、このリードイン領域１８−２の情報を読み込むとともに、プレギャップ２０−２ａの情報も読み込む。そして、リードイン領域１８−２の情報により、この広告用ＣＤ−Ｒディスク２５が、第２セッション２８で完結していることが判別される。さらに、プレギャップ２０−２ａの情報により、このディスク広告用ＣＤ−Ｒディスク２５全体に“ファイルが１つも存在しない”ことが判別される。そして、第２セッション２８が存在することにより、第１セッション２６のプレギャップ２０−１ａに記録された情報は無視され（正規のマルチセッション方式においても、各セッションのプレギャップにはそれよりも手前の全セッションのパステーブルが記録されるので、最終セッションのプレギャップに記録されているパステーブルのみが、そのディスクに記録されている全ファイルのディレクトリ情報を示すものとして有効に取り扱われ、それ以前のセッションのプレギャップに記録されているパステーブルは無視される。）、第１セッション２６のオートランプログラム２１−１も存在しないものとなる。よって、該オートランプログラム２１−１は起動されない。その結果、ディスク広告用ＣＤ−Ｒディスク２５は使用不能なディスクであると判断される。したがって、画像の再書き込みは行われない。
【００３３】
なお、光ディスクドライブ３６に正規のＣＤ−Ｒディスク１０をローディングした場合は、正規のＣＤ−Ｒディスク１０にはオートランファイルが記録されていないので、この発明による広告画像形成機能は実現されず、通常のユーザー情報の記録が行われる。
【００３４】
（変形例１）
前記実施の形態では、広告用ＣＤ−Ｒディスク２５から読み取られる広告画像識別情報２１−５によって固定的に定まる広告画像を描画形成する（つまり同じ広告用ＣＤ−Ｒディスク２５であれば、常に同じ広告画像が描画形成される）ようにしたが、同じ広告用ＣＤ−Ｒディスク２５であっても、異なる広告画像が描画形成されるようにすればユーザーにとって遊興的であり、広告効果をより高めることが期待できる。これを実現するには、例えば、図７に示すように、図３の広告画像識別情報２１−５に代えて、乱数発生プログラム２１−６を第１セッション２６のプログラム領域本体部分２０−１ｂに格納する。一方、広告情報配給装置４０には、該乱数で識別される複数の広告画像情報を格納する。そして、光ディスク記録装置３２は、プログラム領域本体部分２０−１ｂから乱数発生プログラム２１−６読み取って、該乱数発生プログラム２１−６を起動させ、その結果発生された乱数を広告画像識別情報として広告情報配給装置４０に転送し、この乱数で識別される広告画像情報を広告情報配給装置４０から取り込み、広告用ＣＤ−Ｒディスク２５に、該当する広告画像を描画形成する。その結果、同じ広告用ＣＤ−Ｒディスク２５であっても、異なる広告画像を描画形成させることができる。
【００３５】
（変形例２）
同じ広告用ＣＤ−Ｒディスク２５であっても、異なる広告画像が描画形成されるようにする別の手法を説明する。これは、ホストコンピュータ３４から広告情報配給装置４０に、広告画像識別情報２１−５を送信する（Ｓ１０）のに代えて、広告画像情報の送信要求を送信し、広告情報配給装置４０側で所定のプログラムに従って選択した広告画像情報を送信し、該当する広告画像を描画形成するものである。この場合の、広告情報配給装置４０のシステム構成例を図８に示す。広告情報配給装置４０は、広告選択・出力回路６４と、広告画像情報データベース６６と、広告主の出資金額に比例する広告出現確率のリストデータを格納した出資金比例出現確率リストファイル６８とを有している。光ディスク記録装置３２から広告画像情報の送信要求を受信した場合、広告選択・出力回路６４は、広出資金比例出現確率リストファイル６８のデータを読み込み、該リストで示される確率に応じた広告主選択を行う。そして、選択された広告主の広告画像情報を広告画像情報データベース６６から読み出して、公衆回線網３８を介して、光ディスク記録装置３２に転送する。光ディスク記録装置３２は、該広告画像情報を受け取って、広告用ＣＤ−Ｒディスク２５に、該当する広告画像を描画形成する。その結果、同じ広告用ＣＤ−Ｒディスク２５であっても、広告主の出資比率に応じた出現確率で、異なる広告画像を描画形成させることができる。
【００３６】
前記実施の形態では、光ディスク記録媒体を、広告用の可視画像を表示する広告媒体としてのみ使用し、ユーザーによる任意の情報（ユーザー情報）の記録は一切できないようにしたが、一部の領域にユーザー情報の記録を許容することもできる。また、前記実施の形態では、この発明をＣＤ−Ｒ方式に適用した場合について説明したが、可視画像を描画形成できるその他の記録可能型光ディスク方式にもこの発明を適用することができる。
【図面の簡単な説明】
【００３７】
【図１】図４の光ディスク記録装置により広告用ＣＤ−Ｒディスクに画像形成を行うときの制御を示すフローチャートである。
【図２】この発明で使用する記録可能型光ディスクの実施の形態を示す図で、（ａ）正規のＣＤ−Ｒディスクと、（ｂ）この発明による広告用ＣＤ−Ｒディスクの頒布時における領域設定の違いを示す。
【図３】図２（ｂ）の広告用ＣＤ−Ｒディスクのプログラム領域本体部分２０−１ｂに予め格納されているファイルの種類を示す図である。
【図４】図２（ｂ）の広告用ＣＤ−Ｒディスク２５に広告画像形成を行う、この発明で使用する光ディスク記録装置の実施の形態を示すブロック図である。
【図５】図２（ｂ）のこの発明による広告用ＣＤ−Ｒディスクの広告画像形成後における領域区分状態を示す図である。
【図６】この発明による広告画像形成例を示す図である。
【図７】変形例１において、広告用ＣＤ−Ｒディスクのプログラム領域本体部分２０−１ｂに予め格納されているファイルの種類を示す図である。
【図８】変形例２における広告情報配給装置４０のシステム構成例を示すブロック図である。
【符号の説明】
【００３８】
２１−１…オートランプログラム、２１−２…オートランファイル、２１−３…光ディスクドライブの製品情報のデータベース、２１−４…広告情報配給装置のＵＲＬ情報、２１−５…広告画像識別情報、２５…広告用記録可能型光ディスク、２８…広告領域、３２…光ディスク記録装置、３８…公衆回線網、４０…広告情報配給装置、
【図１】
2006172530.tif 000003
【図２】
2006172530.tif 000004
【図３】
2006172530.tif 000005
【図４】
2006172530.tif 000006
【図５】
2006172530.tif 000007
【図６】
2006172530.tif 000008
【図７】
2006172530.tif 000009
【図８】
2006172530.tif 000010